(57)【要約】      （修正有）【課題】搬送しやすく、現場においても容易に動力盤や制御盤を運搬・据付しうる据付補助具を提供する。【解決手段】被搬送物を搬送して適宜の場所へ据付けることができる据付補助具であって、車輪１２を有するフレーム部１９と、フレーム部に上下動可能に取り付けられ、上面部に被搬送物を載置しうる板状支持部１５とを備える。板状支持部は平面略長方形状に形成され、フレーム部は細長板状に形成されて板状支持部の長さ方向両端部に夫々配設され、フレーム部の両端部には板状支持部の幅方向両端部を支持固定して上下動させうるジャッキ部２０が設けられている。【選択図】図２
0003195370.tif 000002
【実用新案登録請求の範囲】
【請求項１】
被搬送物を搬送して適宜の場所へ据付けることができる据付補助具であって、車輪を有するフレーム部と、前記フレーム部に上下動可能に取り付けられ、上面部に被搬送物を載置しうる板状支持部とを備えたことを特徴とする据付補助具。
【請求項２】
前記板状支持部は平面略長方形状に形成されると共に前記フレーム部は細長板状に形成されて前記板状支持部の長さ方向両端部に夫々配設され、前記フレーム部の両端部には前記板状支持部の幅方向両端部を支持固定して上下動させうるジャッキ部が設けられていることを特徴とする請求項１記載の据付補助具。
【請求項３】
前記板状支持部上に被搬送物を載置した場合に被搬送物を固定する結束帯を固定できる固定部が設けられていることを特徴とする請求項２記載の据付補助具。
【請求項４】
前記板状支持部は、前記ジャッキ部により最下方に配置された場合には、前記被搬送物の設置面にまで下降することを特徴とする請求項２記載の据付補助具。
【請求項５】
前記板状支持部の上面部には、低摩擦係数の素材からなる受け部材が固定されていることを特徴とする請求項４記載の据付補助具。
【考案の詳細な説明】
【技術分野】
【０００１】
本考案は、据付補助具の改良に関する
【背景技術】
【０００２】
従来、工場等に設置される動力盤・制御盤等(以下盤という)は所定の大きさ・所定の重量があることから、盤を運搬設置する場合には盤据付用門型台車の使用や平台車を使用し運搬し据付時には別の道具を使用して据付作業を行っている。
このような盤据付用台車とは、従来、例えば、被搬送物である盤の両側に配置され、互いに連結部材により結合された台車部を有し、盤を吊下しうるように構成された物がある。
また、門型を前後(または左右)の部品に分解し盤と一体にして門型を構成することにより軽量化を及び作業性を高めた物がある。
また、これらの台車の使用が困難な場合には摩擦係数の大きい平台車で運搬(摩擦係数の小さい平台車では運搬時に盤が平台車上面を滑り危険な為)した後爪付油圧ジャッキ等を用いて一度盤を持ち上げて平台車を引き抜き、盤据付用のベースと同じ高さになるように床面と盤の間に低摩擦の物を高さ調整して設置し据付ける工法を行っている
【０００３】
しかしながらこのような従来の盤据付用台車にあっては一対の台車部が連結部材により結合されている事から、非常に重量が重く台車そのものの搬送が煩雑であるという不具合があった。
また、門型を前後(または左右)の部品に分解し盤と一体化して門型を構成する台車では盤と一体化して門型を構成する為の組立時間がかかる事及び前後(または左右)の部品での自立の安定が悪い事から作業者２名による人力運搬または、１名で運搬する為には別に台車を用意する必要があるという不具合があった。
また、従来の平台車を使用した工法では別途爪付ジャッキ等を用意して、盤を持ち上げ、平台車を引き抜くという手間がかかる事及びこの作業にて爪付ジャッキで盤を持ち上げる時に使用方法を誤り盤を転倒させる危険性があるという不具合があった
【考案の開示】
【考案が解決しようとする課題】
【０００４】
本考案はこのような従来からの不具合を解決するためのものであって、その課題は、搬送しやすく、現場においても容易に盤を運搬・据付しうる据付補助具を提供する事にある。
【課題を解決するための手段】
【０００５】
請求項１記載の考案にあっては、被搬送物を搬送して適宜の場所へ据付けることができる据付補助具であって、車輪を有するフレーム部と、前記フレーム部に上下動可能に取り付けられ上面部に被搬送物を載置しうる板状支持部とを備えたことを特徴とする。
【０００６】
請求項２記載の考案にあっては、前記板状支持部は平面略長方形状に形成されると共に前記フレーム部は細長板状に形成されて前記板状支持部の長さ方向両端部に夫々配設され、前記フレーム部の両端部には前記板状支持部の幅方向両端部を支持固定して上下動させうるジャッキ部が設けられていることを特徴とする。
【０００７】
請求項３記載の考案にあっては、前記板状支持部上に載置された被搬送物を固定する結束帯を固定できる固定部が設けられていることを特徴とする。
【０００８】
請求項４記載の考案にあっては、前記板状支持部は、前記ジャッキ部により最下方に配置された場合には、被搬送物の設置面にまで下降することを特徴とする。
【０００９】
請求項５記載の考案にあっては、前記板状支持部の上面部には、低摩擦係数の素材からなる受け部材が固定されていることを特徴とする。
【考案の効果】
【００１０】
請求項１〜３記載の考案にあっては、従来のように門型形状を形成することなく且つ別の道具を用いて被搬送物の下部に配置された台車を引き抜くことも必要ないことから、門型の組立時間または、別の道具を使用しての被搬送物下部に配置された台車を引き抜くといった作業が不要となり、盤搬入据付作業時間が短縮出来る。
【００１１】
また、本考案の据付補助具の運搬に関しては据付補助具が車輪を有していると共に重心が低いため、搬送物に掛けまわされる結束帯を固定部に係止した状態で容易に運搬することができる。
【００１２】
請求項４記載の考案にあっては、上記効果に加えて、前記板状支持部をジャッキ部により最下方にまで下降させて場合には、被搬送物の設置面に至るまで下降させることができるため、設置面上に容易に被搬送物を移動させて据付を行うことができる。
【００１３】
請求項５記載の考案にあっては、据付予定の地点に至った場合には、被搬送物を板状支持部上を滑らせて設置面上に移動させることができるため、より容易に据付作業を行うことが可能となる。
【図面の簡単な説明】
【００１４】
【図１】本考案に係る据付補助具の一実施形態を示し、各移動式固定部材を示す平面図である
【図２】本考案に係る据付補助具の一実施形態を示し、各移動式固定部材を示す側面図である
【図３】本考案に係る据付補助具の一実施形態を示し、各移動式固定部材を示す側面図である
【図４】本考案に係る据付補助具の一実施形態を示し、各移動式固定部材を被搬送物である盤に固定した状態を示す側面図である
【図５】本考案に係る据付補助具の一実施形態を示し、各移動式固定部材を被搬送物である盤に固定して搬送している状態を示す側面図である
【図６】本考案に係る据付補助具の一実施形態を示し、各移動式固定部材を被搬送物である盤と固定を解除して盤据付用ベースへの据付方法を示す側面図である
【考案を実施するための最良の形態】
【００１５】
以下、添付図面に示す実施の形態に基づき、本考案を詳細に説明する。
図１〜４に示すように、本実施の形態に係る据付補助具１０は、被搬送物である盤１１を搬送して適宜の場所へ据付けることができるように構成されている。
本実施の形態に係る据付補助具１０は、下面部に車輪１２を有するフレーム部１９と、前記フレーム部に上下動可能に取り付けられ、上面部に被搬送物である盤１１を載置しうる板状支持部１５とを備えている。
【００１６】
板状支持部１５は平面略長方形状に形成されると共にフレーム部１９は細長板状に形成されて前記板状支持部１５の長さ方向両端部に夫々配設され、フレーム部１９の両端部下面には夫々、車輪１２、１２が設けられると共に、両端部上面には前記板状支持部１５の幅方向両端部を支持固定して上下動させうるジャッキ部２０、２０が設けられている。
【００１７】
板状支持部１５は側面略コ字状に形成され、上面部に盤１１を載置固定でき、板状支持部１５の長さ方向両端部には両側立上がり部２１、２１が形成されている。ジャッキ部２０は、フレーム部１９の両端部に設けられ、ジャッキ本体２２と側面Ｌ字状の固定部２３とからなり、固定部２３は板状支持部１５の両側立上り部２０、２０の両端部に固定されている。
【００１８】
また、フレーム部１９の中央には、前記板状支持部１５上に盤１１を載置した場合に盤１１を固定する結束帯を固定できる固定部としてのアイボルト１４が設けられている。
【００１９】
本実施の形態にあっては、前記板状支持部１５はジャッキ部２０により最下方に配置された場合には設置面２４にまで下降することができるようにジャッキ本体部２２が調整されている。
さらに、本実施の形態にあっては、板状支持部１５の上面部には、低摩擦係数の素材からなるストリップ状の受け部材１３が、長さ方向に沿って互いに等間隔に３本固定されている。
【００２０】
以下、本実施の形態に係る据付補助具１０の作用について説明する。
本実施の形態に係る据付補助具１０を使用して盤１１を搬送して据え付ける場合には、盤１１を人手を介して板状支持部１５上に載せ、図４及び図５に示すように、結束帯１６の一端部を一方のフレーム部１９のアイボルト１４に係止して盤１１を掛けまわし、結束帯１６の他端部を他方のフレーム部１９のアイボルト１４に係止させて盤１１を板状支持部１５に固定する。
【００２１】
この状態で、人手を介して据付補助具１０を押し、４個の車輪１２により床面２４上を移動させる。据付位置に至った場合には、結束帯１６を外し、図６に示すように、床面２４上にチャンネルベース１７を載置し、チャンネルベース１７上に潤滑剤をスプレーにより噴霧して潤滑性を向上させた上で、盤１１を板状支持部１５からチャンネルベース１７を介して設置面１８上に、迅速かつ容易に載置固定することができる。
【００２２】
本実施の形態にあっては、一台の据付補助具１０を使用して盤１１を搬送する場合を例に説明したが、本実施の形態に限定されず、据付補助具１０を複数台接合させて使用することにより大型の盤を搬送することもできる。また、板状支持部材１５の大きさを複数種類用意することにより様々な形状の盤１１を搬送することが可能となる。
【産業上の利用可能性】
【００２３】
本考案は広く所定の重量のある盤の搬送・据付に使用出来る事から、産業上の利用の可能性を有している。
【符号の説明】
【００２４】
１０：据付補助具
１１：被搬送物（盤）
１２：車輪
１３：受け部材
１４：固定部（アイボルト）
１５：板状支持部
１６：結束帯
１７：チャンネルベース
１８：設置面
１９：フレーム部
２０：ジャッキ部
２１：両側立ち上がり部
２２：ジャッキ本体部
２３：固定部
２４：床面
【図１】
0003195370.tif 000003
【図２】
0003195370.tif 000004
【図３】
0003195370.tif 000005
【図４】
0003195370.tif 000006
【図５】
0003195370.tif 000007
【図６】
0003195370.tif 000008